(57)【要約】      （修正有）【課題】天冠、あるいは内軸筒をもって後方に引くことにより、ボールペンの芯先を繰り出すと共に伸縮自在となし、且部品数の少ない簡単な構造で耐久性の優れたボールペン装置を提供する。【解決手段】先端に口金を設けた外軸筒２と、中間部より後方に直線的にスライド自在とした内軸筒６と、該内軸筒の内側で且つ外軸筒の内側定位置で回転自在な回転軸筒４と、内軸筒の後方に設けた天冠８に固定し回転軸筒の内側をスライドし、芯ホルダー３の後端部で係止自在のスライダー７と、外軸筒の中間部より前方に直線的にスライド自在のボールペンリフィル３１を着脱自在とした芯ホルダーとよりなり、回転軸筒の表面にはねじ溝１９が設けてあって内軸筒のねじ突起２０が嵌合して内軸筒の外軸筒への伸縮操作により回転軸筒を回転自在としてあり、芯ホルダーの軸部の表面には繰り出しねじ溝が設けてあって回転軸筒の内側先端部に設けた繰り出し突起が嵌合している。【選択図】  図１
2006272967.tif 000002
【特許請求の範囲】
【請求項１】
先端に着脱自在の口金を設けた外軸筒と、外軸筒の中間部より後方に直線的にスライド自在とした内軸筒と、該内軸筒の内側で且つ外軸筒の内側定位置で回転自在な回転軸筒と、内軸筒の後方に設けた天冠に固定し回転軸筒の内側をスライドし後述の芯ホルダーの後端部で係止自在のスライダーと、外軸筒の中間部より前方に直線的にスライド自在で軸部が回転軸筒とスライダーの内側に位置しボールペンリフィルを着脱自在とした芯ホルダーとよりなり、回転軸筒の表面にはねじ溝が設けてあって内軸筒のねじ突起が嵌合して内軸筒の外軸筒への伸縮操作により回転軸筒を回転自在としてあり、芯ホルダーの軸部の表面には繰り出しねじ溝が設けてあって回転軸筒の内側先端部に設けた繰り出し突起が嵌合しており、回転軸筒の回転を芯ホルダーの直線的な運動に変換自在として、ボールペンリフィルの芯先を口金より出没自在とした繰り出し式ボールペン装置。
【請求項２】
芯ホルダーの軸部に設けた繰り出しねじ溝の端部位置には平坦なロック溝を設けておいて繰り出し突起とのすべりを悪くし、使用時における前後の押圧力による収縮を防止自在とした請求項１記載の繰り出し式ボールペン装置。
【発明の詳細な説明】
【技術分野】
【０００１】
本発明は握持する軸部分をねじ式によって伸縮させ、その伸縮操作によってボールペンの芯先を出没自在とする繰り出し式のボールペン装置に関する。
【背景技術】
【０００２】
ボールペン装置にあっては、軸部を伸縮させながら、芯先を口金より出没させる伸縮式ボールペンはあるが、これらは軸部の引き伸ばし動作に応じて口金の先端より摺動先金を突出させて芯先を隠蔽させるものであり、これらは押し棒、コイルバネなどの部品数、加工数、組み立て工程も多くなり、構造的にも複雑になって高価なものとなる虞がある。
【発明の開示】
【発明が解決しようとする課題】
【０００３】
そこで本発明は、両手（片手でもできる。）で軸部の回転操作によってボールペンの芯先を繰り出すと共に伸縮自在となし、且部品数の少ない簡単な構造として耐久性の優れたボールペン装置を提供しようとするものである。
【課題を解決するための手段】
【０００４】
先端に着脱自在の口金を設けた外軸筒と、外軸筒の中間部より後方に直線的にスライド自在とした内軸筒と、該内軸筒の内側で且つ外軸筒の内側定位置で回転自在な回転軸筒と、内軸筒の後方に設けた天冠に固定し回転軸筒の内側をスライドし後述の芯ホルダーの後端部で係止自在のスライダーと、外軸筒の中間部より前方に直線的にスライド自在で軸部が回転軸筒とスライダーの内側に位置しボールペンリフィルを着脱自在とした芯ホルダーとよりなり、回転軸筒の表面にはねじ溝が設けてあって内軸筒のねじ突起が嵌合して内軸筒の外軸筒への伸縮操作により回転軸筒を回転自在としてあり、芯ホルダーの軸部の表面には繰り出しねじ溝が設けてあって回転軸筒の内側先端部に設けた繰り出し突起が嵌合しており、回転軸筒の回転を芯ホルダーの直線的な運動に変換自在として、ボールペンリフィルの芯先を口金より出没自在とした繰り出し式ボールペン装置である。
【発明の効果】
【０００５】
本発明の効果として、ボールペンの軸部の回転操作で軸部を伸縮すると共に芯先を繰り出すことができ、しかも簡単な構造で耐久性に富み安価に提供でき、且つ組立作業が迅速にできる。
【実施例１】
【０００６】
先端に着脱自在の口金３０を設けた外軸筒２と、外軸筒２の中間部より後方に直線的にスライド自在とした内軸筒６とがあり、外軸筒１の後部内側には軸線方向の案内溝１４が設けており、この案内溝１４に内軸筒６の基端部外側に設けた案内突起１５が嵌合していて内軸筒６が直線的に前後に移動するようになっている。
【０００７】
更に、内軸筒６の内側で且つ外軸筒２の中間内側の定位置で回転自在な回転軸筒４が設けているが、回転軸筒４の基端は抜け止めリング５を介して外軸筒２の内側に回転自在に取り付けられている。
【０００８】
次に、外軸筒２の中間部より前方に直線的にスライド自在で軸部３’が回転軸筒４の内側に位置しボールペンリフィル３１を挿入自在とした芯ホルダー３を設けてあるが、芯ホルダー３の外側に設けた突起１６と外軸筒２の内側に設けた軸線方向の溝１７とが走行自在に嵌合して、芯ホルダー３を前後に直線的に移動するようにしてある。
【０００９】
次に、内軸筒６の後方に設けた天冠８に固定し芯ホルダー３の軸部３’の内側をスライドし該ホルダー３の後端部で互いの係止突条１８，１８’が係止自在となるスライダー７が設けてある。
【００１０】
回転軸筒６の表面にはねじ溝１９が設けてあって、内軸筒６のねじ突起２０が嵌合して内軸筒６の外軸筒２への伸縮操作によりねじ突起２０がねじ溝19に沿って移動し、同時に案内突起１５が案内溝１４を移動し、回転軸筒４が回転する様になっている。
【００１１】
一方、芯ホルダー３の軸部３’の表面には前記ねじ溝１９とは反対方向の繰り出しねじ溝２１が設けてあって回転軸筒４の内側先端部に設けた繰り出し突起２２が嵌合しており、回転軸筒４の回転により繰り出し突起２２が移動するようになっている。
【００１２】
図中１３は、各ねじ溝１９、２１端部に連続して設けた侵入溝で、組み立てに際し対応する突起２０，２２が侵入するためのものである、又芯ホルダー３の軸部３’に設けた繰り出しねじ溝２１の端部位置には平坦なロック溝２１’を設けておいて繰り出し突起２２とのすべりを悪くし、ボールペン使用時における不用意な前後の押圧力による収縮を防止自在としてある。
【作用】
【００１３】
本発明は以上のように構成されるもので、図１の縮小状態から図２の伸張状態にするには天冠８、或いは内軸筒６をもって後方に引くことによりねじ突起２０がねじ溝１９を移動し、同時に回転軸筒４が回転し、繰り出し突起２２が繰り出しねじ溝２１を移動して芯ホルダー３を前方に繰り出し、口金３０の先端よりボールペンリフィル３１の芯先を突出させ筆記状態になる。
【００１４】
図２の伸張状態から図１の縮小状態にするには上記と反対の作動をすればよい。
【００１５】
組み合わせに際しても各部品ごとに挿入、接着作業のみで迅速に行うことができる。
【００１６】
図中３２はボールペンリフィル３１と連通する小孔３３を設けた抜け止めリングで、スライダー７の先端と掛止する。
【図面の簡単な説明】
【００１７】
【図１】繰り出し式ボールペン装置の縮小時の断面説明図
【図２】同伸張時の断面説明図
【図３】回転軸筒の分解正面説明図
【図４】同側面説明図
【図５】同背面説明図
【図６】芯ホルダーの分解正面図
【図７】同側面図
【図８】同背面説明図
【符号の説明】
【００１８】
２：外軸筒
３：ホルダー
３’：軸部
４：回転軸筒
５：抜け止めリング
６：内軸筒
７：スライダー
８：天冠
１０：ピン
１１：バネ
１３：侵入溝
１４：案内溝
１５：案内突起
１６：突起
１７：溝
１８、１８’：係止突条
１９：ねじ溝
２０：ねじ突起
２１：繰り出しねじ溝
２１’：ロック溝部
２２：繰り出し突起
３０：口金
３１：ボールペンリフィル
３２：抜け止めリング
３３：小孔
【図１】
2006272967.tif 000003
【図２】
2006272967.tif 000004
【図３】
2006272967.tif 000005
【図４】
2006272967.tif 000006
【図５】
2006272967.tif 000007
【図６】
2006272967.tif 000008
【図７】
2006272967.tif 000009
【図８】
2006272967.tif 000010